(57)【要約】  本明細書に提示される教示によれば、システム及び方法は、ライブイベントに物理的に参加しているモバイル機器加入者への協調されたコンテンツ配信により、ライブイベントをよりよいものにする。非限定的な例として、システムは、リプレイ映像、別あるいはズームしたカメラアングル及び、イベント参加者に関する興味あるデータ（例えばプレーヤの情報など）のようなイベントについてのサポート情報、の１つ以上をフィードするように構成される。従って、移動機に位置ベースのイベントコンテンツを配信するための方法の一実施形態は、移動機がイベント会場に物理的に存在することを判別する工程と、イベント会場におけるライブイベントについて、移動機に対するイベントフィードの望ましいタイプを特定する工程と、望ましいタイプの１つ以上のイベントフィードを移動機に動的に配信する工程とを有する。この方法をサポートするためのシステムを、セルラ通信ネットワーク全体もしくはその一部で実施することができる。
2010534958.tif 000002
【特許請求の範囲】
【請求項１】
移動機に位置ベースのイベントコンテンツを配信するための方法であって、
前記移動機がイベント会場に物理的に存在することを判別する工程と、
前記イベント会場におけるライブイベントについて、前記移動機に対するイベントフィードの望ましいタイプを特定する工程と、
前記望ましいタイプの１つ以上のイベントフィードを前記移動機に動的に配信する工程と、を有することを特徴とする方法。
【請求項２】
前記移動機がイベント会場に物理的に存在することを判別する前記工程が、前記イベント会場の局所検出器が前記移動機の前記物理的存在を検出したことを示す通知を受信する工程又は、前記移動機についての全地球測位システム(GPS)ベースの位置情報を受信する工程を有し、前記GPSベースの位置情報が、前記移動機が前記イベント会場に物理的に存在することを示すことを特徴とする請求項１記載の方法。
【請求項３】
前記移動機に対するイベントフィードの望ましいタイプを特定する前記工程が、前記イベントフィードの望ましいタイプを特定するための情報を取得するために、前記イベント会場で利用可能な局所無線リンクを介して前記移動機と通信する工程を含み、前記方法がさらに、前記局所無線リンクを、前記イベント会場の個別の座席又は観覧場所に実装される複数の局所無線リンクとして実装する工程を有することを特徴とする請求項１記載の方法。
【請求項４】
前記移動機がイベント会場に物理的に存在することを判別する前記工程及び、前記望ましいタイプの１つ以上のイベントフィードを前記移動機に動的に配信する前記工程の少なくとも１つを実行するために、前記複数の個別の無線リンクの各々を用いる工程をさらに有することを特徴とする請求項３記載の方法。
【請求項５】
前記移動機に対するイベントフィードの望ましいタイプを特定する前記工程が、前記移動機に関連付けられて予め設定された加入者情報に少なくとも一部基づいて前記イベントフィードの望ましいタイプを決定する工程、前記移動機から前記イベントフィードの望ましいタイプを特定する情報を受信することに少なくとも一部基づいて前記イベントフィードの望ましいタイプを決定する工程、又はイベントフィードの利用可能なタイプを前記移動機のユーザに通知し、前記移動機の前記ユーザからイベントフィード選択情報を受信するために前記移動機の前記存在の検出に応答して前記移動機と通信する工程を有することを特徴とする請求項１記載の方法。
【請求項６】
前記移動機に配信される前記１つ以上のイベントフィードの少なくとも１つを、前記移動機に関する、前記イベント会場内のイベント視聴視点に基づいて調整する工程をさらに有することを特徴とする請求項１記載の方法。
【請求項７】
前記望ましいタイプの１つ以上のイベントフィードを前記移動機に動的に配信する前記工程が、前記１つ以上のイベントフィードの少なくとも１つに対して好ましいベアラサービスを決定する工程と前記好ましいベアラサービスを介して前記移動機に前記少なくとも１つのイベントフィードを配信する工程とを含み、利用可能なベアラサービスがセルラ通信ネットワークベアラサービスと局所ネットワークベアラサービスを含み、前記１つ以上のイベントフィードの少なくとも１つに対して好ましいベアラサービスを決定する前記工程が、前記少なくとも１つのイベントフィードについて、前記利用可能なベアラサービスのどれがコスト及び性能の少なくとも１つに関して良好であるかを決定する工程を有することを特徴とする請求項１記載の方法。
【請求項８】
前記イベント会場内の予め定められた座席又は観覧場所で前記移動機の存在を、前記イベント会場の短距離無線送受信器を介して検出する工程に加え、前記短距離無線送受信器を介した前記移動機との通信に基づいて前記イベントフィードの望ましいタイプを特定する工程と、前記短距離無線送受信器を介して前記望ましいタイプの１つ以上のイベントフィードを前記移動機に動的に配信する工程との少なくとも１つをさらに有することを特徴とする請求項１記載の方法。
【請求項９】
サポートする無線通信ネットワークが、イベントフィードのためのコンテンツを提供する１つ以上のフィードサーバから前記移動機にイベントフィードコンテンツを配信できるよう、前記１つ以上のフィードサーバを前記サポートする無線通信ネットワークと接続する構成をさらに有することを特徴とする請求項１記載の方法。
【請求項１０】
移動機に位置ベースのイベントコンテンツを配信するためのシステムであって、
前記移動機がイベント会場に物理的に存在することを判別するように構成された検出プロセッサと、
前記イベント会場におけるライブイベントについて、前記移動機に対するイベントフィードの望ましいタイプを特定するように構成されたサービス構成プロセッサと、
前記望ましいタイプの１つ以上のイベントフィードを前記移動機に動的に配信するように構成されたコンテンツプロセッサと、を有することを特徴とするシステム。
【請求項１１】
前記検出プロセッサ、前記サービス構成プロセッサ、及び前記コンテンツプロセッサが、セルラ通信ネットワークに関連付けられたフィードサーバ構成することを特徴とする請求項１０記載のシステム。
【請求項１２】
前記検出プロセッサ、前記サービス構成プロセッサ、及び前記コンテンツプロセッサが、前記イベント会場を含む地理的範囲にサービスカバレージを提供するセルラ通信ネットワークと前記イベント会場に実装された局所無線通信ネットワークの少なくとも１つを有する無線通信ネットワーク内の１つ以上のノードを構成し、前記セルラ通信ネットワーク内の１つ以上の基地局から無線シグナリングを介して前記移動機に前記１つ以上のイベントフィードの少なくとも１つを配信するために、前記コンテンツプロセッサが、前記１つ以上の基地局と動作可能に関連付けられることを特徴とする請求項１０記載のシステム。
【請求項１３】
前記システムが前記イベント会場に実装された局所無線通信ネットワークを含み、前記局所無線通信ネットワークが、前記検出プロセッサを含むか前記検出プロセッサに関連付けられるとともに、前記イベント会場における前記移動機の前記物理的存在の無線検出を提供することを特徴とする請求項１０記載のシステム。
【請求項１４】
前記コンテンツプロセッサが、イベントフィードを配信するための少なくとも２つの無線ベアラサービスと動作可能に関連付けられ、前記システムが、前記移動機に動的に配信される前記１つ以上のイベントフィードの少なくとも１つを配信するために、前記少なくとも２つの無線ベアラサービスの好ましい１つを選択するように構成されることを特徴とする請求項１０記載のシステム。
【請求項１５】
前記システムが、前記少なくとも２つの無線ベアラサービスの好ましい１つを、予め設定された選択の好みに基づいて、又は要求性能の動的評価と前記移動機への前記少なくとも１つのイベントフィードの配信に関するコストとに基づいて決定するように構成されることを特徴とする請求項１４記載のシステム。
【発明の詳細な説明】
【技術分野】
【０００１】
本発明は概して位置ベースの無線通信サービスに関し、特にはライブイベントに物理的に存在している無線通信機器へのイベントフィードの提供に関する。
【背景技術】
【０００２】
携帯電話機やＰＤＡのような多くのタイプの無線通信機器に本質的な利便性は可動性(mobility)である。可動性を十分に利用したものとして、あるモバイル機器に対し、その機器の現在位置に特に関連する「固定的な(static)」情報を配信するような、ある種の位置ベースのサービスを提供することが知られている。なお、ここで「固定的な」情報とは、現地のレストランや他のアトラクションについての情報など、モバイル機器の所与の位置に一般的に関連するデータを意味する。
【０００３】
さらに、限られた意味においては、リアルタイムに近い交通情報のような、ある種の動的情報を配信することも知られている。しかし、従来、位置ベースの情報配信がイベント参加者のライブ視聴体験を高めるために構成されたり用いられたりすることはなかった。
【発明の概要】
【０００４】
本明細書に提示される教示によれば、システム及び方法は、ライブイベントに物理的に存在しているモバイル機器加入者への協調されたコンテンツ配信により、ライブイベントをよりよいものにする。非限定的な例として、システムは、リプレイ映像、別あるいはズームしたカメラアングル及び、イベント参加者に関するデータ（例えばプレーヤの情報(statistics)など）のようなイベントについてのサポート情報、の１つ以上をフィードするように構成される。
【０００５】
従って、一実施形態において、位置ベースのイベントコンテンツを移動機に配信する方法は、移動機がイベント会場に物理的に存在することを判別するステップと、イベント会場でのライブイベントについて、移動機に対するイベントフィードの望ましいタイプを特定するステップとを有する。方法は、望ましいタイプの１つ以上のイベントフィードを移動機に動的に配信することを続ける。フィードサービスのネゴシエーション及びフィードの配信において、方法は例えば、イベント会場の位置を含むカバレージ範囲を有する、適切に構成されたセルラ通信ネットワーク、イベント会場に実装された無線ＬＡＮ、またはそれらの組み合わせを用いる。つまり、少なくとも１つの実施形態において、移動機へのイベントフィードの提供に、局所無線接続性と広域無線接続性（例えばセルラ通信サービス）の組み合わせが用いられる。
【０００６】
上述の方法およびその変形物をサポートして、位置ベースのイベントコンテンツを移動機に配信するためのシステムの一実施形態は、移動機がイベント会場に物理的に存在することを判別するように構成された検出プロセッサと、イベント会場におけるライブイベントについて、移動機に対するイベントフィードの望ましいタイプを特定するように構成されたサービス構成プロセッサとを有する。システムはさらに、望ましいタイプの１つ以上のイベントフィードを移動機に動的に配信するように構成されたフィードプロセッサを含む。一実施形態において、これらの処理要素は、コアネットワークまたはＩＰマルチメディアサブシステム(IMS)に配置もしくは付随するフィードサーバのような、セルラ通信ネットワーク内の１つ以上のノードに実装される。いずれの場合もフィードプロセッサは、イベントフィードを移動機に配信するように構成された１つ以上の通信回路と、有線又は無線によって、動作可能に関連づけられる。
【０００７】
もちろん、本発明は上述の特徴及び利点に限定されない。実際、本技術分野に属する当業者は、以下の詳細な説明を読み、添付図面を見ることにより、さらなる特徴及び利点を認識するであろう。
【図面の簡単な説明】
【０００８】
【図１】移動機にイベントフィードを動的に配信するためのシステムの一実施形態のブロック図。
【図２】移動機にイベントフィードを動的に配信するための処理ロジックの一実施形態の論理フローチャート。
【図３】移動機にイベントフィードを配信するためのシステムの別の実施形態のブロック図。
【図４】移動機にイベントフィードを配信するためのシステムの別の実施形態のブロック図。
【図５】移動機にイベントフィードを配信するためのシステムの別の実施形態のブロック図。
【発明を実施するための形態】
【０００９】
非限定的な例として、図１は移動機１２に位置ベースのイベントコンテンツを配信するためのシステム１０を示している。図示した実施形態において、システム１０は、移動機がイベント会場（不図示）に物理的に存在することを判別するように構成された検出プロセッサ１４と、イベント会場でのライブイベントについて移動機１２に対するイベントフィードの望ましいタイプを特定するように構成されたサービス構成プロセッサ１６と、望ましいタイプの１つ以上のイベントフィードを移動機１２に対して動的に配信するように構成されたコンテンツプロセッサ１８とを有する。
【００１０】
そのため、コンテンツプロセッサ１８は、無線シグナリングを介して移動機１２に１つ以上のイベントフィードを配信するように構成された１つ以上の通信回路２０と動作可能に関連付けられている。以下で詳細に説明するように、通信回路２０は、基地局または他のセルラネットワーク送受信器を有すること、及び／又は、イベント会場に局所的な無線送受信器を有することができる。従って、コンテンツプロセッサ１８は、通信回路２０と、直接的又は間接的に通信可能に接続されてよい。
【００１１】
同様に、検出プロセッサ１４は、GPS情報、到達時刻（三角測量）情報、または他の位置ベースのシグナリングを移動機１２や移動機１２の位置判別を実行する他のネットワークエンティティ（明示的には図示せず）から受信するためなどのために、通信回路２０に動作可能に関連付けられて良い。一例において、検出プロセッサ１４はイベント会場の地理的位置の知見を有しており、従って検出プロセッサ１４は、移動機の現在報告されている位置が既知のイベント会場位置と一致することを認識することにより、移動機１２がイベント会場に物理的に存在することを「検出」する。
【００１２】
さらに、又はあるいは、検出プロセッサ１４は、１つ以上の検出回路２２と直接的または間接的に関連付けられる。非限定的な例として、検出回路２２は、移動機１２の存在を検出するように構成され、イベント会場に設けられた、近接又は他の短距離RF送受信器のような無線センサを有する。そのような機器は、移動機１２の加入者が望む特定のイベントフィード／タイプの取り決めなどのために移動機１２と通信するためにも用いられてよい。本明細書においては、そのような機器を用いて１つ以上のイベントフィードを配信するため、例えばイベント会場でWiFi (802.11)ネットワークが、映像及び他の広帯域フィードを配信するための高速ベアラサービスを提供するケースも意図されている。いずれの場合も、検出回路２２は検出プロセッサ１４に直接接続されもよいし、検出プロセッサ１４に関連付けられたセルラ通信ネットワーク（不図示）を通じてなど、検出プロセッサ１４に間接的に接続されてもよい。
【００１３】
これらの例示的な構成を念頭に置いて、図２は、移動機１２へ望ましいタイプのイベントフィードを配信するためにシステム１０で実施可能な、非限定的な処理手順を提供する。なお、システム１０はハードウェア、ソフトウェア、またはそれらの組み合わせによって実施されてよいことを理解されたい。例えば、検出プロセッサ１４、サービス構成プロセッサ１６およびコンテンツプロセッサ１８はそれぞれ、無線通信ネットワーク内の１つ以上のノードの全て又は一部を有することができる。
【００１４】
セルラ通信ネットワーク（不図示）及び／又はイベント会場での局所無線通信ネットワーク（不図示）に接続もしくは関連付けされた「フィードサーバ」は、図２の処理を実行するための１つの例示的な実装を表す。この実装及び他の実装において、図２の処理は、メモリ又は他の記憶装置に保存されたプログラム命令であって、１つ以上のコンピュータプログラム製品を構成するプログラム命令を実行することにより実施されてよい。本技術分野に属する当業者には理解されるであろうように、そのようなコンピュータプログラム製品は、ネットワークノードにロードされるかネットワークオペレータによって提供されるなどによりスタンドアロンのコンピュータプログラムを構成してもよいし、より大きな、あるいはより包括的なコンピュータプログラム製品の一部を構成してもよい。
【００１５】
いずれにせよ、図示した処理は、移動機１２（図では「MS」と略記）がイベント会場に物理的に存在することを判別することから始まる（ブロック１００）。ここでも、検出は、移動機１２の存在を直接検出する工程、移動機１２の存在を示す情報を受信する工程、又は移動機１２についての位置情報を受信し、移動機１２がイベント会場に存在するか判別するためにその情報を用いる工程、を有することができる。
【００１６】
処理は、イベント会場でのライブイベントについて、望ましいタイプのイベントフィードを特定する工程を引き続き行う（ブロック１０２）。つまり、処理は、移動機１２の加入者が、ライブイベントへの出席と連動して受信を希望するイベントフィードのタイプを判別する工程を引き続き行う。非限定的な例として、スポーツイベントについてのイベントフィードのタイプは、様々な映像、音声、及びデータフィードを含んでよい。映像フィードの例は、インスタントリプレイ及び、別の／ズームされたカメラアングルフィードを含む。音声フィードの例は、ゲーム内(in-game)マイクなどからの音声を含む。データフィードの例は、選手、チーム及びゲームの情報(statistics)や、選手に関する情報についての経歴及び他の情報（又はそのような情報へのウェブリンク）を含む。音楽イベントについてのフィードタイプの例は、曲目情報、バンド／アーティスト情報、歌詞（実際の演奏と合わせてもよい）、アーティストカタログ及び（「演奏中の曲を購入」などのような）関連する音楽の購入のためのリンク、などを含む。
【００１７】
さらに、正確な位置情報を用い、すなわち、移動機１２がそのイベント会場内に存在することを知って、１つ以上のイベントフィードをその特定の場所に合わせて調整することもできる。例えば、移動機へ（リプレイ、ズーム等のための）映像フィードをイベント会場の反対側から提供するための「反対の」カメラアングルを特定するのに正確な位置を用いてもよい。
【００１８】
正確な位置情報を用いる場合も用いない場合も、望ましいイベントフィードのタイプの決定に、予め設定された加入情報を用いることができる。一例として、ネットワークオペレータ又は他のコンテンツプロバイダが規定し、ライブイベント（少なくとも所与のタイプのライブイベント及び／又は少なくとも所与のイベント会場について）で存在を検出された際に移動機１２に配信されるべきイベントフィードのタイプの範囲を規定する複数の加入クラス（例えば「ゴールド」、「シルバー」、「ブロンズ」）が存在していてよい。
【００１９】
さらに、又はあるいは、利用可能なイベントフィードと個々の費用などを特定する通知を移動機１２へ送信するなどにより、イベントフィードの望ましいタイプについて加入者と動的にネゴシエーションしてもよい。そして加入者は、利用可能なイベントフィードのメニューから選択し、支払い処理などを実行又は確認することができる。このような信号のやりとりは、セルラ通信ネットワーク、イベント会場の局所無線ネットワーク、又はそれらの組み合わせにもっぱら依存してよい。（なお、本明細書において、セルラ及び局所無線ネットワーク間で共有される、あるいは相互作用機能などを通じてそれらネットワーク間でアクセス可能なフィード関連処理エンティティを実施することが意図されていることに留意されたい。）
【００２０】
図示した処理は、望ましいタイプの１つ以上のフィードを移動機１２へ動的に配信する工程を引き続き行う。つまり、図示した処理は、移動機１２の加入者が参加しているライブイベントに対応する、あるいは関連する電子的なコンテンツを配信する。リッチな通信環境、すなわち高速通信リンクが利用可能な環境では、上述のようにイベントフィードは、インスタントリプレイ、追加あるいは代替カメラアングル、ズームされたカメラビュー、放送ブース／スポーツコメンテータの実況フィード等の、リアルタイム又はリアルタイムに近い映像を含むことができる。もちろん、所与のライブイベントについて利用可能なイベントフィードとタイプは、イベント自体の性質を反映するように変化してよい。一般に、イベントフィードサービスは、参加者の体験を向上させることを意図している。
【００２１】
図３は、上述したサービスの一部又は全てを提供するための一実施形態を示し、（図には明示的に列挙されていない）システム１０は、スタジアムや他の建造物または建築物であってよいイベント会場３０で局所的に実施されている。より詳細には、本実施形態のシステム１０は、局所無線通信ネットワーク３４に通信可能に接続されたローカルサーバ３２として実施される。局所無線通信ネットワーク３４は、非限定的な例として、イベント会場３０の全て又は少なくとも一部の無線カバレージを提供するIEEE 802.11g/n (WiFi)ネットワークを有する。
【００２２】
少なくとも１つの実施形態において、局所無線通信ネットワーク３４はイベント会場３０に移動機１２が物理的に存在することを検出するための根拠を提供する。例えば、無線通信ネットワーク３４に関するディスカバリ及び／又はハンドシェイク登録プロトコルを、移動機の存在検出に、さらには必要に応じてイベントフィードの望ましいタイプのネゴシエーションあるいは特定に用いることができる。もちろん、これは移動機１２が局所無線通信ネットワーク３４と互換性を有する通信回路を有していることを前提とする。
【００２３】
別の実施形態において、システム１０は、入場位置（例えば会場のゲートや通路）に配置された、あるいは座席や観覧場所に配置された１つ以上の無線検出器３６を含むか、そのような無線検出器３６に関連付けられる。そのような実施形態の少なくとも１つにおいて、１つ以上の無線検出器３６は、複数の無線送受信器３６、例えば各座席や座席グループに配置された近接通信(NFC)送受信器を有する。
【００２４】
このようにして、移動機１２は加入者が自身の座席に座ると少なくとも検出される。有利なことに、このような実施形態では検出位置が正確にわかるであろうため、移動機１２を検出した特定のセンサが会場内の移動機１２の位置を特定する。そして、このような実施形態では、検出イベントから移動機１２の正確な位置がわかる。
【００２５】
さらに、そのような実施形態は、短距離無線送受信器３６と移動機１２との間の短距離通信に基づいて、望ましいフィードタイプのネゴシエーション又は特定のために用いられてよい。さらに、イベントフィードの望ましいタイプとサポートされるデータレートに応じて、無線送受信器３６と移動機１２との間の通信リンクを、移動機１２に配信されている１つ以上のイベントフィードの少なくとも１つを配信するために用いることができる。実際、移動機１２は、無線送受信器３６との典型的には低速な通信リンクを介して１つ以上の追加イベントフィードの提供を受けながら、局所無線通信ネットワーク３４を通じて１つ以上のイベントフィードの提供を受けることができる。もちろん、データレートが十分なら、局所無線通信ネットワーク３４は必要でなく、イベントフィードサービスは無線送受信器３６のメッシュ又はネットワークによって提供されてもよい。
【００２６】
従って、本明細書においては、１つ以上の実施形態において、イベント会場の座席が、ブルートゥース（登録商標）又は他の短距離無線通信規格に基づく短距離無線送受信器を内蔵することが意図されている。それらの無線送受信器は、移動機１２の存在の検出、イベントフィードサービスの広告、イベントフィードの望ましいタイプについての登録又はネゴシエーション、及びそれらイベントフィードの１つ以上の移動機への配信、に用いることができる。
【００２７】
さらなる詳細として、システム１０は１つ以上のイベント収集システム３８を含むか、１つ以上のイベント収集システム３８に関連付けられてよい。これらシステムは未処理(raw)カメラフィード、処理された(processed)カメラフィード、統計サーバ（又はそれらの間の通信リンク）等を含むことができる。実際、イベント収集システム３８は、イベント会場３０で開催中のライブイベントに関する情報を格納したサードパーティのサーバ／データベース並びに、ライブイベントに関するリアルタイム又はリアルタイムに近い電子コンテンツを生成するローカルシステム及び機器への通信リンクを含むことができる。非限定的な例は、イベント会場内のカメラ及びマイクフィード、リプレイシステム、等を含む。
【００２８】
図４は別の実施形態を示し、（図に列挙されていない）システム１０は、イベント会場３０を包含する地理的サービス範囲４２で無線カバレージを提供するセルラ通信ネットワーク４０内で少なくとも一部が実施される。図示したネットワークアーキテクチャは、具体的なネットワークタイプ（例えばGSM/EDGE, WCDMA/LTEなど）に応じて変化する。従って、非限定的な例として、図示のセルラ通信ネットワーク４０は、コアネットワーク４４及び無線アクセスネットワーク４６を含んでいる。コアネットワーク４４は登録サーバ４８又は他のアクセス／認証／課金エンティティを含み、移動機１２についての加入者情報を用いて設定されてよい。加入者情報はイベントフィードの望ましいタイプについてのデフォルト設定を特定すること、及び／又はイベントフィードの予め選択されたタイプ又はレベルに関する加入情報を特定することができる。
【００２９】
図示したコアネットワーク４４はさらにフィードサーバ５０を含み、フィードサーバ５０はコアネットワーク５０内の別のノードであってもよいし、他のネットワークエンティティに内蔵されるか同一場所に配置されてもよい。いずれにせよ、フィードサーバ５０は図１に示した検出システム１０の全て又は一部を含んでよい。少なくとも１つの実施形態において、フィードサーバ５０は図１に示されるような検出プロセッサ１４、サービス構成プロセッサ１６及びコンテンツプロセッサ１８の少なくとも１つ以上を含む。
【００３０】
１以上の実施形態において、フィードサーバ５０は、イベントフィードの様々なタイプについて電子的なコンテンツを提供するサードパーティサーバ５２に直接又は間接的に接続(link)されている。つまり、サードパーティサーバ５２が、イベントフィードを作成するための元データを提供する。実際、サードパーティサーバ５２はイベント会場３０に実装されるローカル機器の一部であっても良いし、少なくともローカル機器に関連付けられてよい。サードパーティサーバ５２はコアネットワーク４４内のフィードサーバ５０と直接通信してもよいし、相互作用機能を通じてフィードサーバ５０へリンクしてもよい。相互作用機能はフィードサーバ５０の一部であっても、別個に実施されてもよい。
【００３１】
とにかく、図示の実施形態において、基地局５４は１つ以上の通信回路からなるか、１つ以上の通信回路を含む。通信回路は例えば無線周波数送受信器と、関連する信号／呼処理回路である。従って、フィードサーバ５０は望ましいタイプのイベントフィードを、基地局通信回路を介して移動機１２へ送信する。さらに、基地局５４は、移動機１２がイベント会場３０に物理的に存在することを判別するため及び／又は移動機の加入者が望むイベントフィードのタイプをネゴシエーション又は特定するためといった目的で、移動機１２がフィードサーバ５０と通信するための仕組みを提供する。
【００３２】
図５は、予期される他の変形物を示し、セルラ通信ネットワーク４０とイベント会場３０に設けられた局所無線通信ネットワーク３４との一方又は両方を用いてイベントフィードの配信を行う。例えば、局所無線通信ネットワーク３４は移動機１２の存在を検出するために用いられてよく、また、少なくともいくつかのケースにおいては、イベントフィードの望ましいタイプを決定するために移動機１２とやりとりするために用いられてもよい。（そのようなケースにおいても、認証や課金情報などのために、セルラ通信ネットワーク４０内のエンティティに戻ってくる通信があるかも知れない。）
【００３３】
存在検出及び／又はイベントフィードサービスネゴシエーションに局所無線通信ネットワーク３４が用いられる場合でも、実際のイベントフィードはセルラ通信ネットワーク４０を介して移動機１２に配信されてよい。もちろん、移動機１２に配信することが望ましいイベントフィードの１つ以上が、例えばより高いデータレート又はより高いQoSを提供したり、より低いコストを提供したりするかもしれない局所無線通信ネットワーク３４を介してより良好に配信されてもよい。一例として、イベント会場３０内の局所WiFiネットワーク実施を介して利用可能なデータレートが、セルラ通信ネットワーク４０で利用可能なデータレートよりも良好であってよい。
【００３４】
もちろん、移動機１２がイベント会場３０に物理的に存在することを判別するためにセルラ通信ネットワーク４０を依然として用いることができる。その一例として、移動機１２はGPS回路を含んで良く、従ってセルラ通信ネットワーク４０に位置情報を提供することができる。図１の検出プロセッサ１４は、例えばGPS情報、信号到達時間情報、又は明示的に報告される存在情報を、移動機がイベント会場３０に存在することを判別するために用いることができる。セルラ通信ネットワーク４０はまた、移動機１２へのイベントフィードに関連する認証及び課金サービスに用いられてもよい。さらに、上述したように、セルラ通信ネットワーク４０は、事前設定された加入者情報に基づいて望ましいイベントフィードタイプを特定するか、少なくともイベントフィードの適切なタイプの特定に利用可能な移動機１２の能力を特定する、移動機１２についての加入者情報を保存又はアクセスしてよい。
【００３５】
概して、移動機１２がどのように検出されるかや、移動機１２がどのように望ましいタイプのイベントフィードに登録されるかとは無関係に、移動機１２にイベントフィードを配信するために２つ以上のベアラサービスが利用可能であって良いことが予期されている。そして、この点に関し、１つのベアラサービスが望ましいタイプのイベントフィードの１つ以上を配信するために「良好」であってよい。
【００３６】
そのため、ここで説明したシステム１０は、ベアラ選択処理を含むことができ、ベアラ選択処理は移動機１２について要求されている１つ以上のイベントフィードに対して最良のベアラを選択する。例えば、サービス構成プロセッサ１６が望ましいタイプの１つ以上のイベントフィードの少なくとも１つについてベアラ選択を実行するように構成されて良い。そのような選択はQoS及び／又はデータレートの考慮、ネットワーク輻輳又は利用可能度の考慮、及び／又は通信時間コストのような経済的な考慮に基づくことができる。もちろん、ベアラ選択処理は、QoS、コスト及び輻輳を含む考慮事項の一組を最適化するといったように、複数の考慮事項の最適化を試みてもよい。
【００３７】
従って、本技術分野に属する当業者は、１つ以上のネットワークタイプを相補的に用いる機会を理解するであろう。また、具体的な実装が、実装の好みによって変化しうることについても理解するであろう。従って、上述の説明及び添付図面は、本明細書によって教示される方法及び装置の非限定的な例を表すものである。そのため、本発明は上述の説明及び添付図面によって限定されない。本発明は以下の特許請求の範囲及びその法的な等価物によってのみ限定される。
【図１】
2010534958.tif 000003
【図２】
2010534958.tif 000004
【図３】
2010534958.tif 000005
【図４】
2010534958.tif 000006
【図５】
2010534958.tif 000007
【手続補正書】
【提出日】平成21年1月27日(2009.1.27)
【手続補正１】
【補正対象書類名】明細書
【補正対象項目名】０００３
【補正方法】変更
【補正の内容】
【０００３】
さらに、限られた意味においては、リアルタイムに近い交通情報のような、ある種の動的情報を配信することも知られている。しかし、従来、位置ベースの情報配信がイベント参加者のライブ視聴体験を高めるために構成されたり用いられたりすることはなかった。
国際公開番号第WO2006/085844 A1として公開された国際特許出願は、スポーツ好きのファンがスポーツイベントに関するリアルタイム情報を監視したりアクセスするために用いることのできる携帯ビデオデコーダを記載している。米国特許出願公開第2002/0063799 A1は、電子携帯機器に会場でのアクティビティを複数の視点から提供するための方法及びシステムを記載している。
【手続補正２】
【補正対象書類名】特許請求の範囲
【補正対象項目名】全文
【補正方法】変更
【補正の内容】
【特許請求の範囲】
【請求項１】
移動機に位置ベースのイベントコンテンツを配信するための方法であって、
前記移動機がイベント会場に物理的に存在することを判別する工程と、
前記イベント会場におけるライブイベントについて、前記移動機に対するイベントフィードの望ましいタイプを特定する工程と、
前記望ましいタイプの１つ以上のイベントフィードを前記移動機に動的に配信する工程と、を有し、
前記移動機に対するイベントフィードの望ましいタイプを特定する前記工程が、前記移動機に関連付けられて予め設定された加入者情報に少なくとも一部基づいて前記イベントフィードの望ましいタイプを決定する工程、前記移動機から前記イベントフィードの望ましいタイプを特定する情報を受信することに少なくとも一部基づいて前記イベントフィードの望ましいタイプを決定する工程、又はイベントフィードの利用可能なタイプを前記移動機のユーザに通知し、前記移動機の前記ユーザからイベントフィード選択情報を受信するために前記移動機の前記存在の検出に応答して前記移動機と通信する工程を有することを特徴とする方法。
【請求項２】
前記移動機がイベント会場に物理的に存在することを判別する前記工程が、前記イベント会場の局所検出器が前記移動機の前記物理的存在を検出したことを示す通知を受信する工程又は、前記移動機についての全地球測位システム(GPS)ベースの位置情報を受信する工程を有し、前記GPSベースの位置情報が、前記移動機が前記イベント会場に物理的に存在することを示すことを特徴とする請求項１記載の方法。
【請求項３】
前記移動機に対するイベントフィードの望ましいタイプを特定する前記工程が、前記イベントフィードの望ましいタイプを特定するための情報を取得するために、前記イベント会場で利用可能な局所無線リンクを介して前記移動機と通信する工程を含み、前記方法がさらに、前記局所無線リンクを、前記イベント会場の個別の座席又は観覧場所に実装される複数の局所無線リンクとして実装する工程を有することを特徴とする請求項１記載の方法。
【請求項４】
前記移動機がイベント会場に物理的に存在することを判別する前記工程及び、前記望ましいタイプの１つ以上のイベントフィードを前記移動機に動的に配信する前記工程の少なくとも１つを実行するために、前記複数の個別の無線リンクの各々を用いる工程をさらに有することを特徴とする請求項３記載の方法。
【請求項５】
前記移動機に配信される前記１つ以上のイベントフィードの少なくとも１つを、前記移動機に関する、前記イベント会場内のイベント視聴視点に基づいて調整する工程をさらに有することを特徴とする請求項１記載の方法。
【請求項６】
前記望ましいタイプの１つ以上のイベントフィードを前記移動機に動的に配信する前記工程が、前記１つ以上のイベントフィードの少なくとも１つに対して好ましいベアラサービスを決定する工程と前記好ましいベアラサービスを介して前記移動機に前記少なくとも１つのイベントフィードを配信する工程とを含み、利用可能なベアラサービスがセルラ通信ネットワークベアラサービスと局所ネットワークベアラサービスを含み、前記１つ以上のイベントフィードの少なくとも１つに対して好ましいベアラサービスを決定する前記工程が、前記少なくとも１つのイベントフィードについて、前記利用可能なベアラサービスのどれがコスト及び性能の少なくとも１つに関して良好であるかを決定する工程を有することを特徴とする請求項１記載の方法。
【請求項７】
前記イベント会場内の予め定められた座席又は観覧場所で前記移動機の存在を、前記イベント会場の短距離無線送受信器を介して検出する工程に加え、前記短距離無線送受信器を介した前記移動機との通信に基づいて前記イベントフィードの望ましいタイプを特定する工程と、前記短距離無線送受信器を介して前記望ましいタイプの１つ以上のイベントフィードを前記移動機に動的に配信する工程との少なくとも１つをさらに有することを特徴とする請求項１記載の方法。
【請求項８】
サポートする無線通信ネットワークが、イベントフィードのためのコンテンツを提供する１つ以上のフィードサーバから前記移動機にイベントフィードコンテンツを配信できるよう、前記１つ以上のフィードサーバを前記サポートする無線通信ネットワークと接続する構成をさらに有することを特徴とする請求項１記載の方法。
【請求項９】
移動機に位置ベースのイベントコンテンツを配信するためのシステムであって、
前記移動機がイベント会場に物理的に存在することを判別するように構成された検出プロセッサと、
前記移動機に対するイベントフィードの望ましいタイプを、（ａ）前記イベント会場におけるライブイベントについて、前記移動機に関連付けられて予め設定された加入者情報に少なくとも一部基づいて前記イベントフィードの望ましいタイプを決定するか、（ｂ）前記移動機から前記イベントフィードの望ましいタイプを特定する情報を受信することに少なくとも一部基づいて前記イベントフィードの望ましいタイプを決定するか、（ｃ）イベントフィードの利用可能なタイプを前記移動機のユーザに通知し、前記移動機の前記ユーザからイベントフィード選択情報を受信するために前記移動機の前記存在の検出に応答して前記移動機と通信するかによって特定するように構成されたサービス構成プロセッサと、
前記望ましいタイプの１つ以上のイベントフィードを前記移動機に動的に配信するように構成されたコンテンツプロセッサと、を有することを特徴とするシステム。
【請求項１０】
前記検出プロセッサ、前記サービス構成プロセッサ、及び前記コンテンツプロセッサが、セルラ通信ネットワークに関連付けられたフィードサーバ構成することを特徴とする請求項９記載のシステム。
【請求項１１】
前記検出プロセッサ、前記サービス構成プロセッサ、及び前記コンテンツプロセッサが、前記イベント会場を含む地理的範囲にサービスカバレージを提供するセルラ通信ネットワークと前記イベント会場に実装された局所無線通信ネットワークの少なくとも１つを有する無線通信ネットワーク内の１つ以上のノードを構成し、前記セルラ通信ネットワーク内の１つ以上の基地局から無線シグナリングを介して前記移動機に前記１つ以上のイベントフィードの少なくとも１つを配信するために、前記コンテンツプロセッサが、前記１つ以上の基地局と動作可能に関連付けられることを特徴とする請求項９記載のシステム。
【請求項１２】
前記システムが前記イベント会場に実装された局所無線通信ネットワークを含み、前記局所無線通信ネットワークが、前記検出プロセッサを含むか前記検出プロセッサに関連付けられるとともに、前記イベント会場における前記移動機の前記物理的存在の無線検出を提供することを特徴とする請求項９記載のシステム。
【請求項１３】
前記コンテンツプロセッサが、イベントフィードを配信するための少なくとも２つの無線ベアラサービスと動作可能に関連付けられ、前記システムが、前記移動機に動的に配信される前記１つ以上のイベントフィードの少なくとも１つを配信するために、前記少なくとも２つの無線ベアラサービスの好ましい１つを選択するように構成されることを特徴とする請求項９記載のシステム。
【請求項１４】
前記システムが、前記少なくとも２つの無線ベアラサービスの好ましい１つを、予め設定された選択の好みに基づいて、又は要求性能の動的評価と前記移動機への前記少なくとも１つのイベントフィードの配信に関するコストとに基づいて決定するように構成されることを特徴とする請求項１３記載のシステム。
【国際調査報告】
2010534958.tif 000008
2010534958.tif 000009
2010534958.tif 000010